(57)【要約】      （修正有）【課題】メダカの卵を効率よく採卵することが可能な高効率採卵装置を提供する。【解決手段】円盤状の浮きにつり下げたおもり付きの糸状体からなる産卵床具材を設け、糸状体上部に同素材の球状体の産卵床を取り付ける。球状体下部に糸状体を複数本束ねておもりを付け、産卵床具材の下部に網を取り付ける。【選択図】図１
0003158213.tif 000002
【実用新案登録請求の範囲】
【請求項１】
円盤状の浮きにつり下げたおもり付きの糸状体からなる産卵床具材を設けたことを特徴とする高効率メダカ採卵装置。
【請求項２】
糸状体上部に同素材の球状体の産卵床を取り付けた請求事項１記載の高効率メダカ採卵装置。
【請求項３】
球状体下部に糸状体を複数本束ねておもりを付けた請求事項１記載又は２記載の高効率メダカ採卵装置。
【請求項４】
円盤状の浮きにつり下げたおもり付きの糸状体からなる産卵床具材の下部に網を取り付けたことを特徴とする高効率メダカ採卵装置。
【考案の詳細な説明】
【技術分野】
【０００１】本実用新案は、メダカ飼育池、水槽中でのメダカ高効率採卵装置に関する。
【背景技術】
【０００２】小学校５年理科ではメダカの発生を学習する。学習では、児童が顕微鏡やルーペで観察するためメダカの卵を多量に必要とする。【０００３】教科書に記載されている採卵方法は、オオカナダモやホテイアオイなどの植物に産卵させて利用する。この場合、生み付けられたメダカの卵が見つけにくく、また卵を取るとき植物を切ってしまうことがある。【０００４】産卵用植物が枯れ沈んでしまうことがある。【０００５】このような問題に対応する先行技術としてメダカ産卵用疑似ホテイアオイが提案されている（特許文献１参照）特許文献１では、マジックテープ（オス）又は、濾過用フイルター（粗めで毛羽だった）ものを使用することで実現をしている。【０００６】しかしながら、特許文献１は、産み付けられた卵をそのまま別の水槽に移動させることを目的としており卵を取り外すことを目的としていない。【０００７】特許文献１のマジックテープ（オス）は、細かいカギ状でありフック面に卵が引っかかる。卵を取りはずすとき卵に傷が付きが死ぬおそれがある。【０００８】特許文献１の濾過用フイルターは、粗めであるため繊維と卵がからみつき取り外しが困難である。また、毛羽立っているため卵を取り外すとき傷つけるおそれがある。
【先行技術文献】
【特許文献】
【０００９】
【特許文献１】特開２００４−３３７１４０
【考案の概要】
【考案が解決しようとする課題】
【００１０】本実用新案の目的は、児童や教師などが実験に必要なメダカの卵を簡単に採取できる高効率メダカ採卵装置を提供することである。
【課題を解決するための手段】
【００１１】以上の課題を解決するために
第一の考案は、浮きに発泡スチロール板を設けたことを特徴とする。【００１２】第二の考案は、水面下にアクリル製毛糸を数十本束ね、産卵床を球状とすることを特徴とする。【００１３】第三の考案は、水面下にアクリル製毛糸を数本束ね、下部におもりを付けアクリル製毛糸が垂直になることを特徴とする。【００１４】第四の考案は、採卵装置の下部に落下卵を受け取るための目開き１．３ｍｍ以下の網を設けたことを特徴とする。【００１５】第五の考案は、アクリル製毛糸の色は茶色、黒色などの濃色系を使用することを特徴とする。
【考案の効果】
【００１６】第一の考案の効果  メダカは、鳥などの外敵がくると素早く、「うろ（隠れ家）」に避難する。メダカにとって浮きは、うろと同じ役割をはたし隠れ家となる。【００１７】第二の考案の効果  メダカは、球状になったアクリル製毛糸の繊維に産卵する。アクリル製毛糸の繊維とメダカの卵から生えている毛が絡み合いメダカの卵が付着する。【００１８】第三の考案の効果  浮き部から垂らしたアクリル製毛糸は、藻の役割をする。メダカは、この間を回遊して産卵行動をとる。【００１９】第四の考案の効果  メダカが産卵行動中に卵を落下させることがある。落下した卵は、網により捕集することができる。網の目開きは、１．３ｍｍ以下であるので落下卵を確実に捕集できる。【００２０】第五の考案の効果  メダカは、茶色、黒色のアクリル製毛糸に多く産卵する。産卵から１週間ほどの卵の色は、薄い黄色であるので児童でも容易に卵を見分けられる。【００２１】メダカの卵は、小学校５年理科教材として全国の小学校で使われている。メダカの卵を採卵して顕微鏡やルーペなどで観察する場合、多数の卵が必要である。今まで採卵装置がなかった。しかし、本実用新案の高効率メダカ採卵装置は、教室内で飼育している水槽から簡単に多数の卵が採卵できるため効果絶大である。また、アクリル製毛糸は、長時間水につけておいても変質せず再利用が可能である。
【図面の簡単な説明】
【００２２】
【図１】本考案の実施の一形態である高効率メダカ採卵装置の構成を簡略化して示す側面図である。
【図２】本考案の実施の一形態であるアクリル製毛糸を球状に束ね、球状態下部にアクリル製毛糸を装着し下部におもりを付けた側面図である。
【図３】本考案の実施の一形態である高効率メダカ採卵装置の構成を簡略化して示す斜視図である。
【図４】本考案の実施の一形態である高効率メダカ採卵装置の落下した卵の採集用網の結束部を開いた状態を示した側面図である。
【考案を実施するための形態】
【００２３】図１は、この考案の実施一形態である高効率メダカ採卵装置の構成を簡略化して示す側面図である。メダカはアクリル製毛糸３の上部に産卵する。この球状のアクリル製毛糸は、針金１に装着されており浮き部２と脱着可能である。アクリル製毛糸３は、下部におもり４が装着され垂直にたれ下がる。落下卵の採集用網５は、浮き部と針金又は、糸で装着される。
【００２４】アクリル製毛糸３の上部に装着している同素材の球の直径は約３ｃｍ、おもり４までの長さは約１０ｃｍで同素材を約６本束ねたものである。
【００２５】浮き部２は、円形又は長方形でも良く形は問わない。
【００２６】浮き部２の素材は、水に対して強い浮力を有するものであればよく、特に限定されるものではないが発泡スチロールが良い。
【００２７】アクリル製毛糸の色は茶色、黒色など均一色で濃色が良い。
【００２８】浮き部２と落下した卵の採集用網部５は、針金または、糸などによって装着される。
【００２９】落下した卵の採集用網５の網目は、卵の直径が約１．５ｍｍであり、卵のまわりには毛が生えているため約１．３ｍｍ以下なら良い。
【００３０】落下した卵の採集用網５には、網を沈めるためのおもりと卵を採集するための結束部６があり結束部をほどき水で洗い流すと落下した卵が採集できる。
【符号の説明】
【００３１】１  針金
２  浮き（発泡スチロール）
３  アクリル製毛糸
４  おもり
５  落下した卵の採集用網（結束部により開閉可能）
６  おもりと網の結束部
【図１】
0003158213.tif 000003
【図２】
0003158213.tif 000004
【図３】
0003158213.tif 000005
【図４】
0003158213.tif 000006
【手続補正書】
【提出日】平成21年12月18日(2009.12.18)
【手続補正１】
【補正対象書類名】実用新案登録請求の範囲
【補正対象項目名】全文
【補正方法】変更
【補正の内容】
【実用新案登録請求の範囲】
【請求項１】
円盤状の浮きにつり下げたおもり付きの糸状体からなる産卵床具材を設けたことを特徴とする高効率メダカ採卵装置。
【請求項２】
糸状体上部に同素材の球状体の産卵床を取り付けた請求項１記載の高効率メダカ採卵装置。
【請求項３】
球状体下部に糸状体を複数本束ねておもりを付けた請求項１記載又は２記載の高効率メダカ採卵装置。
【請求項４】
円盤状の浮きにつり下げたおもり付きの糸状体からなる産卵床具材の下部に網を取り付けたことを特徴とする高効率メダカ採卵装置。
【手続補正２】
【補正対象書類名】明細書
【補正対象項目名】０００５
【補正方法】変更
【補正の内容】
【０００５】このような問題に対応する先行技術としてメダカ産卵用疑似ホテイアオイが提案されている（特許文献１参照）特許文献１では、マジックテープ（登録商標）（オス）又は、濾過用フイルター（粗めで毛羽だった）ものを使用することで実現をしている。
【手続補正３】
【補正対象書類名】明細書
【補正対象項目名】０００７
【補正方法】変更
【補正の内容】
【０００７】特許文献１のマジックテープ（登録商標）（オス）は、細かいカギ状でありフック面に卵が引っかかる。卵を取りはずすとき卵に傷が付き死ぬおそれがある。